(57)【要約】      （修正有）【課題】運転開始時の実際の室外温度や室内温度に近い温度に基づいて消費電力量を予測できる空気調和機を提供すること。【解決手段】過去の運転履歴または運転スケジュールにより空気調和機の運転開始時刻を予測する運転開始時刻予測手段１１６と、室内ファン１３０および室外ファン２３０の回転を運転開始時刻より所定時間前に開始する第１のタイミングと、第１のタイミングと運転開始時刻の間で室内温度センサ１２０および室外温度センサ２２０により室内温度および室外温度を検出する第２のタイミングとを決定するタイミング決定手段１１３と、第１のタイミングで室内ファン１３０および室外ファン２３０の回転を開始した後、第２のタイミングで室内温度および室外温度を検出する予備運転手段１１４と、室内温度および室外温度に基づいて、運転開始時の予測消費電力量を算出する消費電力量算出手段１１５とを備えた。【選択図】図１
2011179717.tif 000002
【特許請求の範囲】
【請求項１】
室内温度センサと室内ファンとを備える室内機と、室外温度センサと室外ファンとを備える室外機とを備えた空気調和機において、過去の運転履歴または運転スケジュールにより前記空気調和機の運転開始時刻を予測する運転開始時刻予測手段と、前記室内ファンおよび前記室外ファンの回転を前記運転開始時刻より予め定められた所定時間前に開始する第１のタイミングと、同第１のタイミングと前記運転開始時刻の間で前記室内温度センサおよび前記室外温度センサにより室内温度および室外温度を検出する第２のタイミングとを決定するタイミング決定手段と、前記第１のタイミングで前記室内ファンおよび前記室外ファンの回転を開始した後、前記第２のタイミングで前記室内温度センサおよび前記室外温度センサにより室内温度および室外温度を検出する予備運転手段と、前記室内温度および前記室外温度に基づいて、運転開始時の予測消費電力量を算出する消費電力量算出手段とを備えることを特徴とする空気調和機。
【発明の詳細な説明】
【技術分野】
【０００１】
本発明は、空気調和機に関し、消費電力量を予測するものに関する。
【背景技術】
【０００２】
従来から、室内温度と室外温度に基づいて消費電力量を予測する機能を備えた空気調和機が知られている。このような空気調和機は、図５に示すように、室内温度予測手段１６、外気偏差演算手段４、室内偏差演算手段５、空調機動作予測手段６、空調機データベース７およびエネルギー消費量予測手段８を備えている。
【０００３】
外気偏差演算手段４では、最高外気温Ｔｍａｘと室内温度設定値Ｔｓの偏差ｅｍａｘ、最低外気温Ｔｍｉｎと室内温度設定値Ｔｓの偏差ｅｍｉｎをそれぞれ演算し、室内偏差演算手段５では、室内温度予測手段１６で予測された本日の運転開始時の室内温度Ｔｒと室内温度設定値Ｔｓの偏差ｅｒを演算するようになっている。
【０００４】
空調機動作予測手段６では、偏差ｅｍａｘ、偏差ｅｍｉｎおよび偏差ｅｒに基づいて、本日の運転時間帯の１時間毎のファン回転数Ｆ１〜Ｆｉを予測するようになっている。そして、エネルギー消費量予測手段８では、空調機動作予測手段６で予測された１時間毎のファン回転数Ｆ１〜Ｆｉを、空調機データベース７に記憶されたファン回転数とこれに対応する消費電力量を照らし合わせて、１日のトータル消費電力量を予測するようになっている（例えば、特許文献１参照）。
【０００５】
しかしながら、特許文献１の技術では、外気温度（室外温度）や室内温度は予測値になっているため、運転開始時の実際の外気温度や室内温度と比べて温度誤差があり、消費電力量の予測精度が悪くなるという問題点があった。そこで、運転開始時に外気温度と室内温度を測定することが考えられるが、測定される温度は空気調和機の室外機と室内機の各筐体内の温度になっているため、依然として、運転開始時の実際の外気温度や室内温度と比べて温度誤差が生じるという問題点があった。
【先行技術文献】
【特許文献】
【０００６】
【特許文献１】特開平７−３２４７９４号公報（第３頁−第５頁、第６図）
【発明の概要】
【発明が解決しようとする課題】
【０００７】
本発明は上記問題点に鑑み、運転開始時の実際の室外温度や室内温度に近い温度に基づいて消費電力量を予測できる空気調和機を提供することを目的とする。
【課題を解決するための手段】
【０００８】
本発明は上記課題を解決するため、室内温度センサと室内ファンとを備える室内機と、室外温度センサと室外ファンとを備える室外機とを備えた空気調和機において、過去の運転履歴または運転スケジュールにより前記空気調和機の運転開始時刻を予測する運転開始時刻予測手段と、前記室内ファンおよび前記室外ファンの回転を前記運転開始時刻より予め定められた所定時間前に開始する第１のタイミングと、同第１のタイミングと前記運転開始時刻の間で前記室内温度センサおよび前記室外温度センサにより室内温度および室外温度を検出する第２のタイミングとを決定するタイミング決定手段と、前記第１のタイミングで前記室内ファンおよび前記室外ファンの回転を開始した後、前記第２のタイミングで前記室内温度センサおよび前記室外温度センサにより室内温度および室外温度を検出する予備運転手段と、前記室内温度および前記室外温度に基づいて、運転開始時の予測消費電力量を算出する消費電力量算出手段とを備えることを特徴とする構成となっている。
【発明の効果】
【０００９】
本発明によれば、タイミング決定手段で決定されたタイミングに基づき、運転開始前に室内温度と室外温度を検出することによって、運転開始時の実際の室外温度や室内温度に近い温度を検出することができる。このため、検出温度に基づいて消費電力量を予測できるので、消費電力量の予測精度を高めることができる。
【図面の簡単な説明】
【００１０】
【図１】本発明による空気調和機を示す説明図であり、（Ａ）は全体構成を示すブロック図、（Ｂ）は室内制御部に含まれる手段を示す説明図である。
【図２】本発明の室内機制御部を示す説明図であり、（Ａ）は記憶手段に備える過去の運転履歴の一例を示す図、（Ｂ）はタイミング決定手段の動作を示す説明図である。
【図３】本発明の室内機制御部を示す説明図であり、（Ａ）は記憶手段に備える運転スケジュールの一例を示す図、（Ｂ）はタイミング決定手段の動作を示す説明図である。
【図４】本発明の室内機制御部の処理手順の一例を示すフローチャートである。
【図５】従来の空気調和機を示すブロック図である。
【発明を実施するための形態】
【００１１】
以下、本発明の実施形態を添付図面に基づき詳細に説明する。本発明による空気調和機は、図１（Ａ）に示すように、室内機１００、室外機２００およびリモコン３００より構成されている。室内機１００は、室内温度を検出する室内温度センサ１２０と、図示を省略した室内ファンモータの駆動により回転する室内ファン１３０と、消費電力量を表示する表示部１４０と、これらを制御する室内機制御部１１０とを備えている。
【００１２】
室外機２００は、室外温度を検出する室外温度センサ２２０と、図示を省略した室外ファンモータの駆動により回転する室外ファン２３０と、供給される直流電力を所望の交流電力に変換し、交流電力を与えて圧縮機２５０を制御するインバータ制御回路２４０と、インバータ制御回路２４０の制御により駆動される圧縮機２５０と、室内機制御部１１０と連携して、これらを制御する室外機制御部２１０とを備えている。リモコン３００は、室内機１００と室外機２００を動作させるための各種の指示信号を出力する。
【００１３】
室内機制御部１１０は、図１（Ｂ）に示すように、室内温度と室外温度と室内設定温度に基づいて、運転時の消費電力量を予測する機能を実現する制御手段を有し、この制御手段は、時刻を計時するタイマ手段１１１と、記憶手段１１２と、タイミング決定手段１１３と、予備運転手段１１４と、消費電力量算出手段１１５と、運転開始時刻予測手段１１６とを備えている。なお、室外機２００の室外機制御部２１０内にこれらの手段を備えるようにしてもよい。
【００１４】
タイマ手段１１１は、電源入時刻、電源切時刻、入タイマ時刻、切タイマ時刻などの時刻を計時する。記憶手段１１２には、通常運転および後述の予備運転を制御するプログラム１１２ａ、通常運転の時間帯や運転モードの過去の運転履歴１１２ｂ、通常運転のタイマ予約や運転モードの運転スケジュール１１２ｃ、室内温度や室外温度の検出値１１２ｄ、後述の予備運転開始タイミングや温度検出タイミングを決定するときに用いられる設定値や、通常運転の開始時において既に設定されている、または、再度設定される室内設定温度の設定値１１２ｅが記憶されている。なお、運転履歴１１２ｂと運転スケジュール１１２ｃは、空気調和機の使用者の手動運転またはスケジュール運転の選択により、いずれか一方が記憶されるようになっていればよい。また、圧縮機２５０の運転を伴う暖房運転や冷房運転を通常運転とし、圧縮機２５０の運転を伴わない、通常運転前の送風運転を予備運転とする。
【００１５】
運転開始時刻予測手段１１６は、運転履歴１１２ｂまたは運転スケジュール１１２ｃに基づいて、空気調和機の運転開始時刻を予測する。タイミング決定手段１１３では、予測された運転開始時刻を用いて、運転開始前の室内ファン１３０と室外ファン２３０を回転するタイミング（第１のタイミング）と、運転開始前の室内温度と室外温度を検出するタイミング（第２のタイミング）が決定される。予備運転手段１１４では、決定されたタイミングに基づいて、室内ファン１３０および室外ファン２３０を回転させるとともに、室内温度センサ１２０および室外温度センサ２２０で室内温度および室外温度を検出させて、記憶手段１１２に検出値１１２ｄとして記憶させる。消費電力量算出手段１１５では、検出値１１２ｄと室内設定温度に基づいて、運転開始時における予測消費電力量が算出される。なお、室内機制御部１１０内に備えられた図示しないマイコンは、記憶手段１１２に記憶されたプログラム１１２ａを実行することで、以上説明した各手段の機能を実現する。
【００１６】
次に、図２および図３を用いて、本発明の特徴となる、運転開始時刻予測手段１１６とタイミング決定手段１１３と予備運転手段１１４について説明する。まず、図２（Ａ）の運転履歴１１２ｂに基づいて、空気調和機の運転開始時刻を予測し、運転開始前の室内ファン１３０と室外ファン２３０を回転するタイミングと、運転開始前の室内温度と室外温度を検出するタイミングを決定する一例を説明する。運転履歴１１２ｂとしては、図２（Ａ）に示すように、通常運転日毎に電源入時刻、電源切時刻および運転モードが記憶されており、１日毎に最新の過去１週間分を記憶している。例えば、この運転履歴１１２ｂは、１日の朝時間帯と夜時間帯の２回に分けて暖房運転が日々実施された履歴となっている。
【００１７】
運転開始時刻予測手段１１６は、図２（Ｂ）に示すように、運転履歴１１２ｂの電源入時刻を参照して、過去１週間分の運転時間帯を調べ、各日の電源入時刻の差が、例えば、２時間以内の運転を運転時間帯の区分である「運転Ａ」とする。その他の運転時間帯の区分も同様に、「運転Ｂ」とする。もし、１日のうちで、その他の運転時間帯があれば、順次、「運転Ｃ」、「運転Ｄ」、・・・と区分する。このように、区分された「運転Ａ」と「運転Ｂ」において、それぞれ最も早い電源入時刻を検索し、これを予想電源入タイミング（予測される空気調和機の運転開始時刻）とする。予想電源入タイミングは、「運転Ａ」では時刻６：３０、「運転Ｂ」では時刻１７：３０と予測される。タイミング決定手段１１３は、予想電源入タイミングの所定時間前、例えば、第１設定値である１０分前の時刻を算出し、これを予備運転開始タイミング（第１のタイミング）と決定する。予備運転開始タイミングは、第１設定値（１０分）が設定値１１２ｅとして予め記憶され、この第１設定値を用いて算出される。したがって、予備運転開始タイミングは、「運転Ａ」では時刻６：２０、「運転Ｂ」では時刻１７：２０と決定される。また、予想電源入タイミングの所定時間前、例えば、第２設定値である２分前の時刻を算出し、これを温度検出タイミング（第２のタイミング）と決定する。温度検出タイミングは、第２設定値（２分）が設定値１１２ｅとして予め記憶され、この第２設定値を用いて算出される。したがって、温度検出タイミングは、「運転Ａ」では時刻６：２８、「運転Ｂ」では時刻１７：２８と決定される。なお、「運転Ａ」や「運転Ｂ」の他に「運転Ｃ」などの運転パターンがあれば、同様に、各運転パターン毎に記憶する。
【００１８】
予備運転手段１１４は、タイマ手段１１１で計時される時刻が、タイミング決定手段１１３で決定された予備運転開始タイミングである時刻６：２０（「運転Ａ」の時間帯）、時刻１７：２０（「運転Ｂ」の時間帯）になった時、室内ファン１３０および室外ファン３０へ回転を指示するとともに、温度検出タイミングである時刻６：２８（「運転Ａ」の時間帯）、時刻１７：２８（「運転Ｂ」の時間帯）になった時、室内温度センサ１２０および室外温度センサ２２０で検出された検出温度を入力し、これを記憶手段１１２に検出値１１２ｄとして記憶させる。なお、室内温度センサ１２０および室外温度センサ２２０の検出温度の入力は、室内ファン１３０および室外ファン２３０の回転開始から予測される空気調和機の運転開始時刻までのタイミングになっており、本実施例では、第１設定値（１０分）と第２設定値（２分）の差、８分の時間差を置いたタイミングとなっている。これは、室内ファン１３０および室外ファン２３０の回転による送風で、室内温度センサ１２０および室外温度センサ２２０の近傍の空気が攪拌され、周囲との温度差を無くした状態で検出温度を入力するためである。なお、予備運転手段１１４は、検出温度の入力後、速やかに室内ファン１３０および室外ファン２３０を停止させる。
【００１９】
そして、室内機制御部１１０は、リモコン３００からの通常運転開始を示す電源入信号を、例えば、時刻７：００や時刻１８：３０に入力した時、これを実際の電源入タイミング（実際の空気調和機の運転開始時刻）とするとともに通常運転を開始させ、室内ファン１３０および室外ファン２３０を回転させ、圧縮機２５０を駆動させる。また、実際の電源入タイミングは、図２（Ｂ）に示すように、「運転Ａ」では時刻７：００、「運転Ｂ」では時刻１８：３０を電源入時刻とし、記憶手段１１２に運転履歴１１２ｂとして記憶される。なお、実際の電源入タイミングは、必ずしも予想電源入タイミングと一致するとは限らないので、本実施例では、実際の電源入タイミングは、予想電源入タイミングから遅れて、実際の通常運転開始を示す電源入信号が入力された場合を示している。
【００２０】
この実際の電源入タイミングでは、消費電力量算出手段１１５は、電源入信号を入力した時（運転開始時）、記憶手段１１２に記憶された検出値１１２ｄである室内温度および室外温度の検出温度と室内設定温度とに基づき、１時間当たりの予測消費電力量を算出する。この予測消費電力量は、空気調和機の定格消費電力に、記憶手段１１２の設定値１１２ｅである室内設定温度と、検出値１１２ｄである室内温度との温度差に応じて設定された係数と、検出値１１２ｄである室内温度と室外温度との温度差に応じて設定された係数とを掛けることで算出される。なお、予測消費電力量の算出方法はこの実施例に限らず、その他の算出方法であってもよい。さらに、消費電力量算出手段１１５は、予測消費電力量を算出し、この予測消費電力量を表示部１４０に表示させ、空気調和機の使用者に知らせるようにしている。
【００２１】
次に、図３（Ａ）の運転スケジュール１１２ｃに基づいて、空気調和機の運転開始時刻を予測し、運転開始前の室内ファン１３０と室外ファン２３０を回転するタイミングと、運転開始前の室内温度と室外温度を検出するタイミングを決定する一例を説明する。運転スケジュール１１２ｃとしては、図３（Ａ）に示すように、通常運転日毎に入タイマ時刻、切タイマ時刻および運転モードが予め記憶されている。例えば、この運転スケジュール１１２ｃは、１日の朝時間帯と夜時間帯の２回に分けて暖房運転を日々実施するためのスケジュールとなっている。
【００２２】
運転開始時刻予測手段１１６は、図３（Ｂ）に示すように、通常運転日に、運転スケジュール１１２ｃの入タイマ時刻を参照して、通常運転日と同じ日付の入タイマ時刻を調べ、運転時間帯の区分である「運転Ａ」とする。その他の運転時間帯の区分も同様に、「運転Ｂ」とする。もし、１日のうちで、その他の運転時間帯があれば、順次、「運転Ｃ」、「運転Ｄ」、・・・と区分する。このように、区分された「運転Ａ」と「運転Ｂ」において、それぞれの入タイマ時刻を実際の電源入タイミング（予測される空気調和機の運転開始時刻）とする。実際の電源入タイミングは、「運転Ａ」では時刻６：００、「運転Ｂ」では時刻１８：００と予測される。タイミング決定手段１１３は、上述の運転履歴１１２ｂによるタイミング決定の一例と同様に、実際の電源入タイミングとなる入タイマ時刻の第１設定値である１０分前の時刻を算出し、これを予備運転開始タイミング（第１のタイミング）と決定する。したがって、予備運転開始タイミングは、「運転Ａ」では時刻５：５０、「運転Ｂ」では時刻１７：５０と決定される。また、上述の運転履歴１１２ｂによるタイミング決定の一例と同様に、実際の電源入タイミングとなる入タイマ時刻の第２設定値である２分前の時刻を算出し、これを温度検出タイミング（第２のタイミング）と決定する。したがって、温度検出タイミングは、「運転Ａ」では時刻５：５８、「運転Ｂ」では時刻１７：５８と決定される。
【００２３】
なお、運転開始時刻予測手段１１６で参照される運転スケジュール１１２ｃに替えて、リモコン３００からのリモコン信号による通常のタイマ予約の入タイマ時刻を記憶するようにしてもよい。この場合、運転開始時刻予測手段１１６は、この入タイマ時刻を参照して、入タイマ時刻を実際の電源入タイミングと予測し、タイミング決定手段１１３は、入タイマ時刻の所定時間前の時刻を、予備運転開始タイミング、温度検出タイミングと決定する。
【００２４】
予備運転手段１１４は、上述の運転履歴１１２ｂによるタイミング決定の一例と同様に、タイマ手段１１１で計時される時刻が、タイミング決定手段１１３で決定された予備運転開始タイミングである時刻５：５０（「運転Ａ」の時間帯）、時刻１７：５０（「運転Ｂ」の時間帯）になった時、室内ファン１３０および室外ファン２３０へ回転を指示するとともに、温度検出タイミングである時刻５：５８（「運転Ａ」の時間帯）、時刻１７：５８（「運転Ｂ」の時間帯）になった時、室内温度センサ１２０および室外温度センサ２２０で検出された検出温度を入力し、これを記憶手段１１２に検出値１１２ｄとして記憶させる。
【００２５】
そして、室内機制御部１１０は、通常運転開始を示す入タイマ時刻となった時、これを実際の電源入タイミング（実際の空気調和機の運転開始時刻）とするとともに通常運転を開始させ、室内ファン１３０および室外ファン２３０を回転させ、圧縮機２５０を駆動させる。また、実際の電源入タイミングは、図３（Ｂ）に示すように、「運転Ａ」では時刻６：００、「運転Ｂ」では時刻１８：００を電源入時刻とし、記憶手段１１２に運転履歴１１２ｂとして記憶される。
【００２６】
この実際の電源入タイミングでは、消費電力量算出手段１１５は、入タイマ時刻となった時（運転開始時）、上述の運転履歴１１２ｂによるタイミング決定の一例と同様に、記憶手段１１２に記憶された検出値１１２ｄである室内温度および室外温度の検出温度と室内設定温度とに基づき、１時間当たりの予測消費電力量を算出する。
【００２７】
なお、室内機制御部１１０に使用電力料金算出手段を追加し、記憶手段１１２に設定値１１２ｅとして、予め単位電力料金として、例えば２２円／ｋｗｈを記憶しておき、使用電力料金算出手段では、消費電力量算出手段１１５で算出された予測消費電力量に単位電力料金を乗じて、１時間当たりの予測使用電力料金を算出するようにし、この予測使用電力料金を表示部１４０に表示させてもよい。
【００２８】
次に、図４を用いて、本発明の特徴となる室内機制御部１１０の処理手順を説明する。図４において、Ｓはステップを、数字はステップ番号をそれぞれ表す。なお、この処理手順は、記憶手段１１２に記憶された通常運転および予備運転を制御するプログラム１１２ａを図示しないマイコンが実行することで実現される。図４に示すように、室内機制御部１１０は、リモコン３００からのリモコン信号の入力の有無を判断する（Ｓ１）。室内機制御部１１０は、リモコン信号の入力が有れば（Ｓ１−ＹＥＳ）、Ｓ２に移行し、リモコン信号の入力が無ければ（Ｓ１−ＮＯ）、Ｓ９に移行する。
【００２９】
Ｓ２では、室内機制御部１１０は、入力されたリモコン信号が電源入信号であるか否かを判断し、電源入信号であれば（Ｓ２−ＹＥＳ）、Ｓ３に移行し、電源入信号でなければ（Ｓ２−ＮＯ）、Ｓ６に移行する。Ｓ３では、室内機制御部１１０は、タイマ手段１１１で計時された電源入時刻を、記憶手段１１２に運転履歴１１２ｂとして記憶させる。なお、Ｓ３のステップにて記憶された電源入時刻は、図２（Ａ）に示す運転履歴１１２ｂに反映されて、次回以降の空気調和機の運転開始時刻を予測し、予備運転開始タイミングと温度検出タイミングを決定する際に用いられる。次に、室内機制御部１１０は、リモコン信号により予め与えられ、記憶手段１１２の設定値１１２ｅとして記憶される室内設定温度や運転モードなどの運転条件に基づき、空気調和機の通常運転を開始し（Ｓ４）、消費電力量算出手段１１５にて予測消費電力量が算出され、この予測消費電力量を表示部１４０に表示させて（Ｓ５）、Ｓ１のステップに戻り、Ｓ１以降を繰返し実行する。
【００３０】
Ｓ６では、室内機制御部１１０は、入力されたリモコン信号が電源切信号であるか否かを判断し、電源切信号であれば（Ｓ６−ＹＥＳ）、Ｓ７に移行し、電源切信号でなければ（Ｓ６−ＮＯ）、Ｓ１２−１に移行する。Ｓ７では、室内機制御部１１０は、タイマ手段１１１で計時された電源切時刻を、記憶手段１１２に運転履歴１１２ｂとして記憶させる。次に、室内機制御部１１０は、空気調和機の通常運転を停止させ（Ｓ８）、Ｓ１のステップに戻り、Ｓ１以降を繰返し実行する。
【００３１】
一方、Ｓ１にてリモコン信号の入力が無かった場合、Ｓ９では、室内機制御部１１０は、タイマ手段１１１で計時される時刻が、タイミング決定手段１１３で決定された「運転Ａ」、「運転Ｂ」、「運転Ｃ」などの運転パターンのいずれか１つの予備運転開始タイミングの時刻であるか否かを判断し、予備運転開始タイミングの時刻であれば（Ｓ９−ＹＥＳ）、Ｓ１２に移行し、予備運転開始タイミングの時刻でなければ（Ｓ９−ＮＯ）、Ｓ９−１に移行する。
【００３２】
Ｓ９−１では、室内機制御部１１０は、タイマ手段１１１で計時される時刻が、記憶手段１１２に運転スケジュール１１２ｃとして記憶された切タイマ時刻であるか否かを判断し、切タイマ時刻であれば（Ｓ９−１−ＹＥＳ）、Ｓ７に移行し、切タイマ時刻でなければ（Ｓ９−１−ＮＯ）、Ｓ１０に移行する。
【００３３】
Ｓ１０では、室内機制御部１１０は、タイマ手段１１１で計時される時刻が、記憶手段１１２に運転スケジュール１１２ｃとして記憶された入タイマ時刻であるか否かを判断し、入タイマ時刻であれば（Ｓ１０−ＹＥＳ）、Ｓ１１に移行し、入タイマ時刻でなければ（Ｓ１０−ＮＯ）、Ｓ１２−１に移行する。Ｓ１１では、室内機制御部１１０は、入タイマ時刻を、記憶手段１１２に運転履歴１１２ｂとして記憶させる。このように、タイマ運転であっても、運転履歴１１２ｂとして記憶することにより、運転スケジュールの設定が解除された場合でも、運転履歴１１２ｂを用いて、空気調和機の運転開始時刻を予測することができ、予備運転開始タイミングや温度検出タイミングを決定することができる。次に、Ｓ４のステップ以降を実行する。
【００３４】
また、Ｓ９にて予備運転開始タイミングの時刻である場合、Ｓ１２では、室内機制御部１１０は、室内ファン１３０および室外ファン２３０を回転させるとともに、予備運転開始タイミングの時刻と予測された運転開始時刻の間である温度検出タイミングの時刻になったとき、室内温度センサ１２０および室外温度センサ２２０により室内温度と室外温度を検出して、これらの検出温度を、対応する運転パターン（「運転Ａ」、「運転Ｂ」、「運転Ｃ」など）毎に記憶手段１１２に検出値１１２ｄとして記憶させる。また、Ｓ１２−１では、室内機制御部１１０の運転開始時刻予測手段１１６は、記憶手段１１２に記憶された、運転履歴１１２ｂの電源入時刻、または、運転スケジュール１１２ｃの入タイマ時刻に基づいて、各運転パターンにおける空気調和機の運転開始時刻を予測するとともに、予測された運転開始時刻を記憶する。更に、Ｓ１３では、室内機制御部１１０のタイミング決定手段１１３は、予測された運転開始時刻と、記憶手段１１２に設定値１１２ｅとして記憶された第１設定値および第２設定値に基づいて、各運転パターンにおける予備運転開始タイミングの時刻と温度検出タイミングの時刻を決定するとともに、決定された予備運転開始タイミングの時刻と温度検出タイミングの時刻を記憶する。ただし、Ｓ６−ＮＯのように、リモコン信号が電源入信号でも電源切信号でもない指示信号となる場合、また、Ｓ１０−ＮＯのように、リモコン信号の入力が無く、予備運転開始タイミングでもなく、切タイマ時刻でも入タイマ時刻でもないタイミングとなる場合、何もしないでＳ１２−１およびＳ１３のルーチンを抜けるようにしてもよい。次に、Ｓ１４に移行する。更に、Ｓ１４では、室内機制御部１１０は、現在運転中であれば、室内温度が室内設定温度になるようにインバータ制御回路２４０を介して圧縮機２５０の運転を制御する通常運転の動作を実行する。現在運転中ではなく、運転待機中であれば、何もしないでこのルーチンを抜け、次に、Ｓ１のステップに戻り、Ｓ１以降を繰返し実行する。このように、運転履歴１１２ｂや運転スケジュール１１２ｃから「運転Ａ」、「運転Ｂ」、「運転Ｃ」などの運転パターンを抽出し、各運転パターン毎に空気調和機の運転開始時刻を予測し、この運転開始時刻から予備運転開始タイミングや温度検出タイミングを決定し、これらの決定されたタイミング毎に対応する処理を行うようになっている。
【００３５】
以上説明してきたＳ９のステップとＳ１２のステップとに対応するプログラムが室内機制御部１１０に備えられた図示しないマイコンにより実行されることで実現される機能が、予備運転手段１１４である。また、同様にして、Ｓ１２−１のステップに関して実現される機能が、運転開始時刻予測手段１１６、Ｓ１３のステップに関して実現される機能が、タイミング決定手段１１３、Ｓ５のステップに関して実現される機能が、消費電力量算出手段１１５、Ｓ３のステップ、Ｓ７のステップおよびＳ１１のステップに関して実現される機能が、記憶手段１１２の一部である。
【００３６】
以上説明してきた本発明による空気調和機によれば、室内機１００の室内機制御部１１０内に、運転履歴１１２ｂまたは運転スケジュール１１２ｃにより空気調和機の運転開始時刻を予測する運転開始時刻予測手段１１６と、予測された運転開始時刻前に、予め室内ファン１３０と室外ファン２３０を回転させ、室内温度と室外温度を検出するための予備運転を実施するタイミングを決定するタイミング決定手段１１３を設け、運転開始前に近いタイミングを予測して決定するようになっている。したがって、タイミング決定手段１１３で決定されたタイミングに基づき、通常運転が開始されると予測される時刻前に、室内温度と室外温度を検出することによって、運転開始時の室外温度と室内温度に近い温度を検出することができる。このため、検出温度に基づいて運転開始時の消費電力量を予測できるので、消費電力量の予測精度を高めることができる。
【符号の説明】
【００３７】
１００  室内機
１１０  室内機制御部
１１１  タイマ手段
１１２  記憶手段
１１２ａ  プログラム
１１２ｂ  運転履歴
１１２ｃ  運転スケジュール
１１２ｄ  検出値
１１２ｅ  設定値
１１３  タイミング決定手段
１１４  予備運転手段
１１５  消費電力量算出手段
１１６  運転開始時刻予測手段
１２０  室内温度センサ
１３０  室内ファン
１４０  表示部
２００  室外機
２１０  室外機制御部
２２０  室外温度センサ
２３０  室外ファン
２４０  インバータ制御回路
２５０  圧縮機
３００  リモコン
【図１】
2011179717.tif 000003
【図２】
2011179717.tif 000004
【図３】
2011179717.tif 000005
【図４】
2011179717.tif 000006
【図５】
2011179717.tif 000007